(57)【要約】  リソースに対する干渉レベルが判定される無線デバイスを動作させる方法が提供される。さらに、干渉レベルが低い場合、第１の電力を用いてリソースで信号が送信される。第１の電力は、信号が第１のＳＮＲで受信されるような電力である。さらに、干渉レベルが高い場合、第２の電力を用いてリソースで信号が送信される。第２の電力は、信号が、第１のＳＮＲよりも小さい第２のＳＮＲで受信されるような電力である。
2013532917.tif 000002
【特許請求の範囲】
【請求項１】
無線デバイスを動作させる方法であって、
リソースに対する干渉レベルを判定することと、
前記干渉レベルが低い場合、第１の電力を用いて前記リソースで信号を送信することであって、前記第１の電力は、前記信号が第１の信号対雑音比（ＳＮＲ）で受信されるような電力であることと、
前記干渉レベルが高い場合、第２の電力を用いて前記リソースで前記信号を送信することであって、前記第２の電力は、前記信号が前記第１のＳＮＲよりも小さい第２のＳＮＲで受信されるような電力であることと
を備える方法。
【請求項２】
前記干渉レベルを判定することは、その他のリンクが前記リソースで通信しているかどうかを検知することを備え、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信される請求項１に記載の方法。
【請求項３】
請求項１に記載の方法であって、前記信号は、前記無線デバイスと通信している第２の無線デバイスに送信され、前記方法はさらに、
前記リソースで第２の信号を受信することと、
前記第２の信号に基づいて、前記第２の無線デバイスに送信された前記信号の信号対干渉および雑音比（ＳＩＮＲ）を推定することと、
前記推定されたＳＩＮＲに基づいて前記信号の第２の電力を設定することと
を備える方法。
【請求項４】
前記第２の信号は、前記第２の無線デバイスから受信され、前記ＳＩＮＲについての情報を含む請求項３に記載の方法。
【請求項５】
前記第２の信号のエネルギーを推定することをさらに備え、前記ＳＩＮＲを推定することは、前記推定されたエネルギーに基づく請求項３に記載の方法。
【請求項６】
前記干渉レベルを判定することは、前記送信された信号の信号対干渉および雑音比（ＳＩＮＲ）を推定することを備える請求項１に記載の方法。
【請求項７】
前記推定されたＳＩＮＲが第２の値よりも小さいと判定された場合、前記第２のＳＮＲは第１の値に設定される請求項６に記載の方法。
【請求項８】
前記第１の値と前記第２の値との差は３ｄＢよりも小さい、またはそれに等しい請求項７に記載の方法。
【請求項９】
前記推定されたＳＩＮＲが、前記無線デバイスにおいて実現される最高レートコードブックによって必要とされるＳＮＲを下回るしきい値に満たないと判定された場合、前記第２のＳＮＲは第１の値に設定される請求項６に記載の方法。
【請求項１０】
前記しきい値は１ｄＢである請求項９に記載の方法。
【請求項１１】
前記第２のＳＮＲは、近似的に前記ＳＩＮＲに設定される請求項１に記載の方法。
【請求項１２】
無線通信のための装置であって、
リソースに対する干渉レベルを判定する手段と、
前記干渉レベルが低い場合、第１の電力を用いて前記リソースで信号を送信する手段であって、前記第１の電力は、前記信号が第１の信号対雑音比（ＳＮＲ）で受信されるような電力である手段と、
前記干渉レベルが高い場合、第２の電力を用いて前記リソースで前記信号を送信する手段であって、前記第２の電力は、前記信号が前記第１のＳＮＲよりも小さい第２のＳＮＲで受信されるような電力である手段と
を備える装置。
【請求項１３】
前記干渉レベルを判定する手段は、その他のリンクが前記リソースで通信しているかどうかを検知する手段であって、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信される手段である請求項１２に記載の装置。
【請求項１４】
請求項１２に記載の装置であって、前記信号は、前記装置と通信している第２の装置に送信され、前記装置はさらに、
前記リソースで第２の信号を受信する手段と、
前記第２の信号に基づいて、前記第２の装置に送信された前記信号の信号対干渉および雑音比（ＳＩＮＲ）を推定する手段と、
前記推定されたＳＩＮＲに基づいて前記信号の第２の電力を設定する手段と
を備える装置。
【請求項１５】
前記第２の信号は、前記第２の装置から受信され、前記ＳＩＮＲについての情報を含む請求項１４に記載の装置。
【請求項１６】
前記第２の信号のエネルギーを推定する手段をさらに備え、前記推定する手段は、前記推定されたエネルギーに基づいて前記ＳＩＮＲを推定する請求項１４に記載の装置。
【請求項１７】
前記干渉レベルを判定する手段は、前記送信された信号の信号対干渉および雑音比（ＳＩＮＲ）を推定する請求項１２に記載の装置。
【請求項１８】
前記推定されたＳＩＮＲが第２の値よりも小さいと判定された場合、前記第２のＳＮＲは第１の値に設定される請求項１７に記載の装置。
【請求項１９】
前記第１の値と前記第２の値との差は３ｄＢよりも小さい、またはそれに等しい請求項１８に記載の装置。
【請求項２０】
前記推定されたＳＩＮＲが、前記装置において実現される最高レートコードブックによって必要とされるＳＮＲを下回るしきい値に満たないと判定された場合、前記第２のＳＮＲは第１の値に設定される請求項１７に記載の装置。
【請求項２１】
前記しきい値は１ｄＢである請求項２０に記載の装置。
【請求項２２】
前記第２のＳＮＲは、近似的に前記ＳＩＮＲに設定される請求項１２に記載の装置。
【請求項２３】
コンピュータ読取可能な媒体を備える無線デバイスにおけるコンピュータプログラム製品であって、
前記コンピュータ読取可能な媒体は、
リソースに対する干渉レベルを判定するためのコードと、
前記干渉レベルが低い場合、第１の電力を用いて前記リソースで信号を送信するためのコードであって、前記第１の電力は、前記信号が第１の信号対雑音比（ＳＮＲ）で受信されるような電力であるコードと、
前記干渉レベルが高い場合、第２の電力を用いて前記リソースで前記信号を送信するためのコードであって、前記第２の電力は、前記信号が前記第１のＳＮＲよりも小さい第２のＳＮＲで受信されるような電力であるコードと
を備える、コンピュータプログラム製品。
【請求項２４】
前記干渉レベルを判定するためのコードは、その他のリンクが前記リソースで通信しているかどうかを検知するコードであって、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信されるコードである請求項２３に記載のコンピュータプログラム製品。
【請求項２５】
請求項２３に記載のコンピュータプログラム製品であって、前記信号は、前記無線デバイスと通信している第２の無線デバイスに送信され、前記コンピュータ読取可能な媒体はさらに、
前記リソースで第２の信号を受信するためのコードと、
前記第２の信号に基づいて、前記第２の無線デバイスに送信された前記信号の信号対干渉および雑音比（ＳＩＮＲ）を推定するためのコードと、
前記推定されたＳＩＮＲに基づいて前記信号の第２の電力を設定するためのコードと
を備えるコンピュータプログラム製品。
【請求項２６】
前記第２の信号は、前記第２の無線デバイスから受信され、前記ＳＩＮＲについての情報を含む請求項２５に記載のコンピュータプログラム製品。
【請求項２７】
前記コンピュータ読取可能な媒体はさらに、前記第２の信号のエネルギーを推定するためのコードを備え、前記推定するためのコードは、前記推定されたエネルギーに基づいて前記ＳＩＮＲを推定する請求項２５に記載のコンピュータプログラム製品。
【請求項２８】
前記干渉レベルを判定するためのコードは、前記送信された信号の信号対干渉および雑音比（ＳＩＮＲ）を推定する請求項２３に記載のコンピュータプログラム製品。
【請求項２９】
前記推定されたＳＩＮＲが第２の値よりも小さいと判定された場合、前記第２のＳＮＲは第１の値に設定される請求項２８に記載のコンピュータプログラム製品。
【請求項３０】
前記第１の値と前記第２の値との差は３ｄＢよりも小さい、またはそれに等しい請求項２９に記載のコンピュータプログラム製品。
【請求項３１】
前記推定されたＳＩＮＲが、前記無線デバイスにおいて実現される最高レートコードブックによって必要とされるＳＮＲを下回るしきい値に満たないと判定された場合、前記第２のＳＮＲは第１の値に設定される請求項２８に記載のコンピュータプログラム製品。
【請求項３２】
前記しきい値は１ｄＢである請求項３１に記載のコンピュータプログラム製品。
【請求項３３】
前記第２のＳＮＲは、近似的に前記ＳＩＮＲに設定される請求項２３に記載のコンピュータプログラム製品。
【請求項３４】
処理システムを備える無線通信のための装置であって、
前記処理システムは、
リソースに対する干渉レベルを判定することと、
前記干渉レベルが低い場合、第１の電力を用いて前記リソースで信号を送信することであって、前記第１の電力は、前記信号が第１の信号対雑音比（ＳＮＲ）で受信されるような電力であることと、
前記干渉レベルが高い場合、第２の電力を用いて前記リソースで前記信号を送信することであって、前記第２の電力は、前記信号が前記第１のＳＮＲよりも小さい第２のＳＮＲで受信されるような電力であることと
を実行するように構成された装置。
【請求項３５】
前記干渉レベルを判定するために、前記処理システムは、その他のリンクが前記リソースで通信しているかどうかを検知するように構成され、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信される請求項３４に記載の装置。
【請求項３６】
請求項３４に記載の装置であって、前記信号は、前記装置と通信している第２の装置に送信され、前記処理システムはさらに、
前記リソースで第２の信号を受信することと、
前記第２の信号に基づいて、前記第２の装置に送信された前記信号の信号対干渉および雑音比（ＳＩＮＲ）を推定することと、
前記推定されたＳＩＮＲに基づいて前記信号の第２の電力を設定することと
を実行するように構成された装置。
【請求項３７】
前記第２の信号は、前記第２の装置から受信され、前記ＳＩＮＲについての情報を含む請求項３６に記載の装置。
【請求項３８】
前記処理システムはさらに、前記第２の信号のエネルギーを推定するように構成され、前記処理システムは、前記推定されたエネルギーに基づいて前記ＳＩＮＲを推定するように構成される請求項３６に記載の装置。
【請求項３９】
前記干渉レベルを判定するために、前記処理システムは、前記送信された信号の信号対干渉および雑音比（ＳＩＮＲ）を推定するように構成される請求項３４に記載の装置。
【請求項４０】
前記推定されたＳＩＮＲが第２の値よりも小さいと判定された場合、前記第２のＳＮＲは第１の値に設定される請求項３９に記載の装置。
【請求項４１】
前記第１の値と前記第２の値との差は３ｄＢよりも小さい、またはそれに等しい請求項４０に記載の装置。
【請求項４２】
前記推定されたＳＩＮＲが、前記装置において実現される最高レートコードブックによって必要とされるＳＮＲを下回るしきい値に満たないと判定された場合、前記第２のＳＮＲは第１の値に設定される請求項３９に記載の装置。
【請求項４３】
前記しきい値は１ｄＢである請求項４２に記載の装置。
【請求項４４】
前記第２のＳＮＲは、近似的に前記ＳＩＮＲに設定される請求項３４に記載の装置。
【発明の詳細な説明】
【技術分野】
【０００１】
本開示は一般に通信システムに関し、特に、干渉の存在下における伝送電力制御に関する。
【背景技術】
【０００２】
ＦｌａｓｈＬｉｎＱのような、時間スロット（time-slotted）同期通信システムでは、リンクの伝送電力は通常、固定されているか、リンク長さに基づいて決定されるかのどちらかでありうる。すなわち、伝送電力は、デバイス電力増幅器によって許可された最大伝送電力に固定されうる。代替的に、伝送電力は、パスロスを補償するため、および受信機におけるより優れた信号対雑音比（ＳＮＲ）を達成するために、リンク長さに基づく可能性がある。このような構成では、強い干渉環境において、伝送電力は、必須ＳＮＲを達成するために最大送信電力と同じ程度まで増大しうる。しかし、強い干渉環境において、伝送電力を最大伝送電力まで増大させることは、システムパフォーマンスを劣化させる可能性がある。このように、システムパフォーマンスを改善する、干渉の存在下における伝送電力制御のための方法および装置に対する需要が存在する。
【発明の概要】
【０００３】
本開示の態様において、無線デバイスを動作させる方法が提供される。ここにおいて、リソースに対する干渉レベルが判定される。さらに、干渉レベルが低い場合、第１の電力を用いてリソースで信号が送信される。第１の電力は、信号が第１のＳＮＲで受信されるような電力である。さらに、干渉レベルが高い場合、第２の電力を用いてリソースで信号が送信される。第２の電力は、信号が第１のＳＮＲよりも小さい第２のＳＮＲで受信されるような電力である。
【０００４】
本開示の態様において、無線通信のための装置は、リソースに対する干渉レベルを判定する手段を含む。さらに、装置は、干渉レベルが低い場合、第１の電力を用いてリソースで信号を送信する手段を含む。第１の電力は、信号が第１のＳＮＲで受信されるような電力である。さらに、装置は、干渉レベルが高い場合、第２の電力を用いてリソースで信号を送信する手段を含む。第２の電力は、信号が第１のＳＮＲよりも小さい第２のＳＮＲで受信されるような電力である。
【０００５】
本開示の態様において、無線デバイスにおけるコンピュータプログラム製品は、コンピュータ読取可能な媒体を含む。コンピュータ読取可能な媒体は、リソースに対する干渉レベルを判定するためのコードを含む。さらに、コンピュータ読取可能な媒体は、干渉レベルが低い場合、第１の電力を用いてリソースで信号を送信するためのコードを含む。第１の電力は、信号が第１のＳＮＲで受信されるような電力である。さらに、コンピュータ読取可能な媒体は、干渉レベルが高い場合、第２の電力を用いてリソースで信号を送信するためのコードを含む。第２の電力は、信号が第１のＳＮＲよりも小さい第２のＳＮＲで受信されるような電力である。
【０００６】
本開示の態様において、無線通信のための装置は処理システムを含む。処理システムは、リソースに対する干渉レベルを判定するように構成される。さらに、処理システムは、干渉レベルが低い場合、第１の電力を用いてリソースで信号を送信するように構成される。第１の電力は、信号が第１のＳＮＲで受信されるような電力である。さらに、処理システムは、干渉レベルが高い場合、第２の電力を用いてリソースで信号を送信するように構成される。第２の電力は、信号が第１のＳＮＲよりも小さい第２のＳＮＲで受信されるような電力である。
【図面の簡単な説明】
【０００７】
【図１】図１は、処理システムを用いる装置のためのハードウェア実施の実例を例示する図である。
【図２】図２は、典型的な無線ピアツーピア通信システムの図である。
【図３】図３は、無線通信デバイス間のピアツーピア通信のための時間構造を例示する図である。
【図４】図４は、１つのグランドフレーム内のスーパーフレームの各フレームにおけるチャネルを例示する図である。
【図５】図５は、多方面チャネルの動作タイムラインと、セル識別子ブロードキャストの構造とを例示する図である。
【図６】図６は、トラフィックチャネルスロットの動作タイムラインと、接続スケジューリングの構造とを例示する図である。
【図７】図７は、データセグメントの構造を例示する図である。
【図８Ａ】図８Ａは、無線通信デバイスのための典型的な接続スケジューリング・シグナリングスキームを例示するための第１の図である。
【図８Ｂ】図８Ｂは、無線通信デバイスのための典型的な接続スケジューリング・シグナリングスキームを例示するための第２の図である。
【図９Ａ】図９Ａは、伝送電力を制御するための典型的な方法を例示するための図である。
【図９Ｂ】図９Ｂは、伝送電力を制御するための典型的な方法を例示するための別の図である。
【図１０】図１０は、伝送電力を制御するための典型的な方法を例示するための更に別の図である。
【図１１】図１１は、無線通信の方法のフローチャートである。
【図１２】図１２は、典型的な装置の機能を例示する概念ブロック図である。
【発明を実施するための形態】
【０００８】
添付図面に関連して以下に示される詳細な説明は、様々な構成の説明として意図されたものであり、本明細書に説明される概念が実践されうる構成のみを示すことは意図されていない。詳細な説明は、様々な概念の徹底した理解を提供することを目的とする特定の詳細を含む。しかしながら、これらの特定の詳細を用いずともこれらの概念が実践されうることは当業者にとって明らかだろう。いくつかのインスタンスにおいて、周知の構造およびコンポーネントは、このような概念を曖昧にすることを回避するために、ブロック図形態で示される。
【０００９】
通信システムのいくつかの態様が、様々な装置および方法を参照してこれより以下に示される。装置および方法は、以下の詳細な説明において説明され、（「要素」と総称される）様々なブロック、モジュール、コンポーネント、回路、ステップ、処理、アルゴリズムなどによって添付の図面において例示される。これらの要素は、電子ハードウェア、コンピュータソフトウェア、あるいはそれらの任意の組み合わせを使用して実現されうる。このような要素がハードウェアあるいはソフトウェアのどちらとして実現されるかは、システム全体に課せられている特定のアプリケーションおよび設計制約に依存する。
【００１０】
実例として、要素または要素の一部、あるいは任意の要素の組み合わせが、１または複数のプロセッサを含む「処理システム」を用いて実施されうる。プロセッサの実例は、マイクロプロセッサと、マイクロコントローラと、デジタル信号プロセッサ（ＤＳＰ）と、フィールドプログラマブルゲートアレイ（ＦＰＧＡ）と、プログラマブル論理デバイス（ＰＬＤ）と、ステートマシンと、ゲート論理と、離散ハードウェア回路と、本開示にわたって説明される様々な機能を実行するように構成されたその他適切なハードウェアとを含む。処理システムにおける１または複数のプロセッサはソフトウェアを実行しうる。ソフトウェア、ファームウェア、ミドルウェア、マイクロコード、ハードウェア記述言語、あるいはそれら以外のうちのいずれで称されようと、ソフトウェアは、命令群、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、プロシージャ、関数などを意味するように広く解釈されるものとする。ソフトウェアはコンピュータ読取可能な媒体上に存在しうる。コンピュータ読取可能な媒体は、実例として、磁気記憶デバイス（例えば、ハードディスク、フロッピー（登録商標）ディスク、磁気ストリップ）と、光学ディスク（例えば、コンパクトディスク（ＣＤ）と、デジタル多用途ディスク（ＤＶＤ）と、スマートカードと、フラッシュメモリデバイス（例えば、カード、スティック、キードライブ）、ランダムアクセスメモリ（ＲＡＭ）と、読取専用メモリ（ＲＯＭ）と、プログラマブルＲＯＭ（ＰＲＯＭ）と、消去可能ＰＲＯＭ（ＥＰＲＯＭ）と、電子的消去可能ＰＲＯＭ（ＥＥＰＲＯＭ）と、レジスタと、リムーバブルディスクと、搬送波と、伝送ラインと、ソフトウェアを格納または送信するためのその他任意の適切な媒体とを含む。コンピュータ読取可能な媒体は、処理システム内に常駐するか、処理システムの外側にあるか、処理システムを含む複数のエンティティにわたって分散されうる。コンピュータ読取可能な媒体は、コンピュータプログラム製品内に統合されうる。実例として、コンピュータプログラム製品は、パッケージマテリアル内のコンピュータ読取可能な媒体を含みうる。システム全体に課せられる特定のアプリケーションおよび全体設計制約に依存して、本開示にわたって示され説明される機能をどのように最良に実施するかを当業者は認識するだろう。
【００１１】
図１は、処理システム１１４を用いる装置１００のためのハードウェア実施の実例を例示する概念図である。装置１００は、当業者によって、ユーザ機器、モバイル局、加入者局、モバイルユニット、加入者ユニット、無線ユニット、無線ノード、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、あるいはその他適切な用語でも称されうる。処理システム１１４は、一般にバス１０２によって表されるバスアーキテクチャを用いて実現されうる。バス１０２は、処理システム１１４の特定のアプリケーションと、全体設計制約とに依存して、任意の数の相互接続バスおよびブリッジを含みうる。バス１０２は、一般にプロセッサ１０４によって表される１または複数のプロセッサと、一般にコンピュータ読取可能な媒体１０６によって表されるコンピュータ読取可能な媒体とを含む様々な回路を一緒にリンクさせる。バス１０２はまた、タイミングソース、周辺機器、電圧レギュレータ、電力管理回路のようなその他の様々な回路をリンクさせうる。これらは、当該技術分野において周知のものであるため、これ以上説明されることはない。バスインタフェース１０８は、バス１０２とトランシーバ１１０との間にインタフェースを提供する。トランシーバ１１０は、伝送媒体によってその他の様々な装置と通信する手段を提供する。
【００１２】
プロセッサ１０４は、バス１０２を管理することと、コンピュータ読取可能な媒体１０６上に格納されるソフトウェアの実行を含む一般的な処理とに関与する。ソフトウェアは、プロセッサ１０４によって実行されると、処理システム１１４に、任意の特定の装置に関して以下に説明される様々な機能を実行させる。コンピュータ読取可能な媒体１０６はまた、ソフトウェアを実行する場合に、プロセッサ１０４によって操作されるデータを格納するために使用されうる。
【００１３】
図２は、典型的な無線ピアツーピア通信システム２００の図である。無線ピアツーピア通信システム２００は、複数の無線通信デバイス１００を含む。デバイス７のような無線通信デバイス１００のいくつかは、例えば、インターネットおよび／またはその他のネットワークノードに対するインタフェース２３０を含む。無線通信デバイス１００のいくつかは、ハンドヘルドモバイルデバイスのようなモバイル無線通信デバイスでありうる。無線通信デバイス１００は、ダイレクトピアツーピア通信をサポートする。
【００１４】
以下に説明される典型的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ（登録商標）、あるいはＩＥＥＥ８０２.１１規格に基づくＷｉ−Ｆｉなどに基づくピアツーピア通信システムのような多様な無線ピアツーピア通信システムの任意のうちのものに適用可能である。説明を簡略化するために、典型的な方法および装置が、図３、図４、図５、図６Ａ、および図６Ｂに関連してＦｌａｓｈＬｉｎＱのコンテキストにおいて説明される。しかしながら、典型的な方法および装置が、より一般的に、多様なその他の無線ピアツーピア通信システムに適用可能であると当業者は理解するだろう。
【００１５】
図３は、無線通信デバイス１００間のピアツーピア通信のための時間構造を例示する図３００である。ウルトラフレームは５１２秒であり、６４個のメガフレームを含む。各メガフレームは８秒であり、８個のグランドフレームを含む。各グランドフレームは１秒であり、１５個のスーパーフレームを含む。各スーパーフレームは近似的に６６.６７ｍｓであり、３２個のフレームを含む。各フレームは２.０８３３ｍｓである。
【００１６】
図４は、１つのグランドフレーム内のスーパーフレームの各フレームにおけるチャネルを例示する図４００である。（インデックス０を伴う）第１のスーパーフレームでは、フレーム０は予約済チャネル（ＲＣＨ：reserved channel）であり、フレーム１乃至１０は各々が多方面チャネル（ＭＣＣＨ：miscellaneous channel）であり、フレーム１１乃至３１は各々がトラフィックチャネル（ＴＣＣＨ）である。（インデックス１乃至６を伴う）第２乃至第７のスーパーフレームでは、フレーム０はＲＣＨであり、フレーム１乃至３１は各々がＴＣＣＨである。（インデックス７を伴う）第８のスーパーフレームでは、フレーム０はＲＣＨであり、フレーム１乃至１０は各々がＭＣＣＨであり、フレーム１１乃至３１は各々がＴＣＣＨである。（インデックス８乃至１４を伴う）第９乃至第１５のスーパーフレームでは、フレーム０はＲＣＨであり、フレーム１乃至３１は各々がＴＣＣＨである。スーパーフレームインデックス０のＭＣＣＨは、二次タイミング同期チャネルと、ピア発見チャネルと、ピアページチャネル（peer page channel）と、予約済スロットとを含む。スーパーフレームインデックス７のＭＣＣＨは、ピアページチャネルと、予約済スロットとを含む。ＴＣＣＨは、接続スケジューリングと、パイロットと、チャネル品質インジケータ（ＣＱＩ）フィードバックと、データセグメントと、アクノレッジメント（ＡＣＫ）とを含む。
【００１７】
図５は、ＭＣＣＨの動作タイムラインと、セル識別子（ＣＩＤ）ブロードキャストの構造とを例示する図５００である。図４に関連して説明されるように、スーパーフレームインデックス０のＭＣＣＨは、二次タイミング同期チャネルと、ピア発見チャネルと、ピアページングチャネル(peer paging channel)と、予約済スロットとを含む。スーパーフレームインデックス０のＭＣＣＨにおけるピアページングチャネルは、クイックページングチャネルと、ＣＩＤブロードキャストチャネルと、ページ要求チャネルとを含む。スーパーフレームインデックス７のＭＣＣＨは、ピアページングチャネルと、予約済スロットとを含む。スーパーフレームインデックス７のＭＣＣＨにおけるピアページングチャネルは、ページ応答チャネルと、ページ確認チャネルとを含む。ＣＩＤブロードキャストチャネルは、新たな接続のためのＣＩＤ割当のための分散プロトコルを提供し、ＣＩＤ衝突検知のためのメカニズムを提供し、通信ピアとのリンク接続が依然として存在するという証拠を無線ノードに提供する。
【００１８】
ＣＩＤブロードキャストの構造は４つのブロックから構成され、それらの各々は、複数のリソース要素、すなわち、周波数ドメインにおける複数のサブキャリアと、時間ドメインにおける直交周波数分割多重化（ＯＦＤＭ）シンボルとを含む。４つのブロックの各々は、複数のサブキャリア（例えば、２８個のサブキャリア）にわたり、１６個のＯＦＤＭシンボルを含む。１つのリソース要素（すなわち、トーン）は、１つのサブキャリアおよび１つのＯＦＤＭシンボルに対応する。
【００１９】
各ＣＩＤでは、隣接するＯＦＤＭシンボルにおけるリソース要素のペアは、ＣＩＤブロードキャストのために４つのブロックの各々に割り当てられる。隣接するリソース要素のペアにおいて、第１のリソース要素は、ＴＣＣＨにおいて送信するために使用される電力に比例するエネルギーを搬送し、第２のリソース要素は、ＴＣＣＨにおいて受信される電力に反比例するエネルギーを搬送する。所与のＣＩＤでは、リソース要素の各ペアが、固定されたＯＦＤＭシンボル位置と、各グランドフレームを変化させるブロック内の変動サブキャリアとを有する。任意の所与のリンクにおいて、リンクを開始させた無線ノードは、ＣＩＤブロードキャストのためにブロック０およびブロック２からのブロックをランダムに選択し、リンクにおけるその他の無線ノードは、ＣＩＤブロードキャストのためにブロック１およびブロック３からのブロックをランダムに選択する。このように、特定のＣＩＤでは、割り当てられたリソースの半分のみが、そのＣＩＤを有するリンクによって利用される。ブロックのランダムな選択によって、異なるリンクにおける第３の無線ノードまたは第４の無線ノードが、第１の無線ノードまたは第２の無線ノードによって選択されたブロックとは異なるブロックを用いてＣＩＤブロードキャストを送信する場合、第２の無線ノードを伴うリンクにおける第１の無線ノードは、ＣＩＤ衝突を検知することができるだろう。
【００２０】
例えば、ＣＩＤ＝４である無線ノードは、ＣＩＤブロードキャストのためにブロック０を選択すると仮定する。無線ノードは、ＣＩＤブロードキャストのために、リソース要素５０２、５０４を割り当てられうる。リソース要素５０２では、無線ノードは、ＴＣＣＨにおいて送信するために使用される電力に比例するエネルギーを送信する。リソース要素５０４では、無線ノードは、ＴＣＣＨにおいて受信される電力に反比例するエネルギーを送信する。後続のグランドフレームでは、無線ノードは、同じ相対ＯＦＤＭシンボル位置ではなくて、異なるサブキャリアを持つリソース要素の異なるペア（すなわち、この実例において、選択されたブロックの第１および第２のＯＦＤＭシンボル）を有しうる。
【００２１】
図６は、ＴＣＣＨスロットの動作タイムラインと、接続スケジューリングの構造とを例示する図６００である。図６に示されるように、ＴＣＣＨスロットは４つのサブチャネル、すなわち、接続スケジューリングと、レートスケジューリングと、データセグメントと、ＡＣＫとを含む。レートスケジューリングサブチャネルは、パイロットセグメントおよびＣＱＩセグメントを含む。ＡＣＫサブチャネルは、データセグメントサブチャネルにおいて受信されるデータに応答して、ハイブリッド自動再送要求（ＨＡＲＱ）アクノレッジメント（ＡＣＫ）またはネガティブアクノレッジメント（ＮＡＣＫ）を送信するためのものである。接続スケジューリングサブチャネルは２つのブロック、すなわち、より高い優先度のブロックＨと、より低い優先度のブロックＬとを含む。ブロックＨおよびブロックＬの各々は複数のリソース要素、すなわち、周波数ドメインにおける複数のサブキャリアと、時間ドメインにおけるＯＦＤＭシンボルとを含む。ブロックＨおよびブロックＬの各々は複数のサブキャリアにわたり、Ｔｘｐブロックにおける４つのＯＦＤＭシンボルと、Ｔｘブロックにおける４つのＯＦＤＭシンボルと、Ｒｘブロックにおける４つのＯＦＤＭシンボルとを含む。１つのリソース要素（すなわち、トーン）は、１つのサブキャリアおよび１つのＯＦＤＭシンボルに対応する。
【００２２】
各リンクはＣＩＤを有する。そのＣＩＤに基づいて、特定のＴＣＣＨスロットでは、リンクにおける無線ノードが、特定のサブキャリアにおいて、ブロックＨまたはブロックＬ内で、Ｔｘｐブロックと、ＴＸブロックと、Ｒｘブロックとの各々における同じそれぞれのＯＦＤＭシンボル位置におけるリソース要素を割り当てられる。例えば、特定のＴＣＣＨスロットにおいて、ＣＩＤ＝４のリンクは、スケジューリング制御信号を送信／受信するために、ブロックＨのＴｘｐブロックにおけるリソース要素６０２を割り当てられ、ブロックＨのＴｘブロックにおけるリソース要素６０４を割り当てられ、ブロックＨのＲｘブロックにおけるリソース要素６０６を割り当てられうる。Ｔｘブロックにおける送信要求信号は、データセグメントを送信するための電力に等しい電力で送信される。Ｒｘブロックにおける送信要求応答信号は、受信された送信要求信号の電力の逆数に比例する電力で送信される。Ｔｘｐブロック、Ｔｘブロック、およびＲｘブロックに関して割り当てられた３つのリソース要素は、サブキャリア（例えば、ｋ個の異なるサブキャリア）と、各ＴＣＣＨスロットにおけるそれぞれのＯＦＤＭシンボル（例えば、８個の異なるＯＦＤＭシンボル、すなわち、ブロックＨにおける４個およびブロックＬにおける４個）に関して変化する。
【００２３】
リンクに割り当てられた３つのリソース要素は、リンクの媒体アクセス優先度を指示（dictate）する。例えば、３つのリソース要素６０２、６０４、６０６、は、ｉ＝２およびｊ＝１に対応する。媒体アクセス優先度は、ｋｉ＋ｊ＋１に等しい。ここで、ｉは、Ｔｘｐ、Ｔｘ、およびＲｘサブブロックの各々におけるそれぞれのＯＦＤＭシンボルであり、ｊはサブキャリアであり、ｋはサブキャリアの数である。したがって、ｋ＝２８であると仮定すると、リソース要素６０２、６０４、６０６は、媒体アクセス優先度５８に対応する。
【００２４】
図７は、データセグメントの構造を例示する図７００である。データセグメントは、周波数ドメインにおける複数のサブキャリアと、時間ドメインにおけるＯＦＤＭシンボルとにわたる複数のリソース要素を含む。リソース要素７０４のような、データセグメントにおけるリソース要素のいくつかは、データセグメントのために使用される符号化および／または変調に関するレートインジケータ情報を搬送しうる。リソース要素７０２のような、データセグメントにおけるその他のリソース要素は、復調および復号のためにチャネルを推定することを可能にするためのパイロットを搬送しうる。
【００２５】
図８Ａは、無線通信デバイス１００のための典型的な接続スケジューリング・シグナリングスキームを例示するための第１の図である。図８Ａに示されるように、無線ノードＡは無線ノードＢと通信しており、無線ノードＣは無線ノードＤと通信しており、無線ノードＥは無線ノードＦと通信している。無線ノードＡは無線ノードＢを上回る送信優先度を有すると仮定され、無線ノードＣは無線ノードＤを上回る送信優先度を有すると仮定され、無線ノードＥは無線ノードＦを上回る送信優先度を有すると仮定される。リンクの各々は、通信のための特定のスロットに依存して、異なる媒体アクセス優先度を有する。通信のための特定のスロットでは、リンク１（Ａ、Ｂ）は、媒体アクセス優先度２を有すると仮定され、リンク２（Ｃ、Ｄ）は、媒体アクセス優先度１を有すると仮定され、リンク３（Ｅ、Ｆ）は、媒体アクセス優先度７を有すると仮定される。
【００２６】
図８Ｂは、無線通信デバイス１００のための典型的な接続スケジューリング・シグナリングスキームを例示するための第２の図である。図８Ｂは、接続スケジューリングサブチャネルにおける（媒体アクセス優先度１乃至ｋに対応する）ブロックＨにおけるＴｘｐ、Ｔｘ、およびＲｘの第１のそれぞれのＯＦＤＭシンボル（ｉ＝０、図６参照）の接続スケジューリングリソースを示す。接続スケジューリングリソースは、各々がｋ個の周波数帯域のうちの１つに対応する複数のサブキャリアを含む。周波数帯域の各々は、特定の媒体アクセス優先度に対応する。接続スケジューリングリソースにおける１つのブロックは、Ｔｘｐ、Ｔｘ、およびＲｘの３つのサブブロック／位相に分割される。Ｔｘｐブロックは、送信優先度を持つ（with transmit priority)ノードが送信機または受信機のどちらとして動作するかを示すために、リンクおける送信優先度を持つノードによって使用される。送信優先度を持つノードがＴｘｐブロックにおける割り当てられたＯＦＤＭシンボルで送信する場合、送信優先度を持つノードは送信優先度を持たない(without transmit priority)ノードに対して、送信機として動作しようという意図を示す。送信優先度を持つノードがＴｘｐブロックにおける割り当てられたＯＦＤＭシンボルで送信しない場合、送信優先度を持つノードは、送信優先度を持たないノードに対して、受信機として動作しようという意図を示す。Ｔｘブロックは、要求をスケジューリングさせるために潜在的な送信機によって使用される。送信機は、トラフィックチャネルのために使用される電力（すなわち、データセグメントを送信するための電力）に等しい電力で、Ｔｘブロックにおける割り当てられたＯＦＤＭシンボルでダイレクト電力信号を送信する。各潜在的な受信機は、Ｔｘブロックにおけるトーンを傾聴（listen）し、Ｔｘブロックの各々における受信電力を、自らのリンクの送信機に割り当てられたＴｘブロックにおける受信電力と比較し、その他のリンク媒体アクセス優先度に対する自らのリンク媒体アクセス優先度と、その比較とに基づいて、Ｒｘ譲歩（Rx-yield)するかどうかを決定する。
【００２７】
例えば、ノードＡ、Ｄ、およびＥは、それぞれ、ＰＡ、ＰＤ、およびＰＥに等しい電力で、Ｔｘブロックにおいて送信要求信号を送信すると仮定する。ノードＢは、  
【数１】
2013532917.tif 000003
【００２８】
に等しい電力でノードＡから送信要求信号を受信する。ここで、ｈＡＢはノードＡとノードＢとの間のパスロスである。ノードＢは、
【数２】
2013532917.tif 000004
【００２９】
に等しい電力でノードＤから送信要求信号を受信する。ここで、ｈＤＢはノードＤとノードＢとの間のパスロスである。ノードＢは、  
【数３】
2013532917.tif 000005
【００３０】
に等しい電力でノードＥから送信要求信号を受信する。ここで、ｈＥＢはノードＥとノードＢとの間のパスロスである。ノードＢは、Ｒｘ譲歩するかどうかを決定するために、より高い優先度を持つその他のノードから受信された送信要求信号の電力の合計で割られたノードＡから受信された送信要求信号の電力を、しきい値と比較する。ノードＢは、もしスケジューリングされている場合に、リーズナブルな信号対干渉比（ＳＩＲ）を予期すると、Ｒｘ譲歩しない。すなわち、ノードＢは、  
【数４】
2013532917.tif 000006
【００３１】
でない限りＲｘ譲歩する。ここで、  
【数５】
2013532917.tif 000007
【００３２】
はしきい値（例えば、９ｄＢ）である。
【００３３】
Ｒｘブロックは潜在的な受信機によって使用される。受信機がＲｘ譲歩することを選択した場合、この受信機は、Ｒｘブロックにおける割り当てられたＯＦＤＭシンボルにおいて送信しない。そうでない場合は、この受信機は、自らのリンクの送信機から受信されたダイレクト電力信号の電力の逆数に比例する電力で、Ｒｘブロックにおける割り当てられたＯＦＤＭシンボルにおける逆エコー電力信号を送信する。すべての送信機は、データセグメントの伝送をＴｘ譲歩するかどうかを決定するために、Ｒｘブロックにおけるトーンを傾聴する。
【００３４】
例えば、  
【数６】
2013532917.tif 000008
【００３５】
に等しい電力でノードＤから送信要求信号を受信されているノードＣは、  
【数７】
2013532917.tif 000009
【００３６】
に等しい電力でＲｘブロックにおける送信要求応答信号を送信する。ここで、ｈＤＣはノードＤとノードＣとの間のパスロスであり、Ｋはすべてのノードに対して既知の定数である。ノードＡは、  
【数８】
2013532917.tif 000010
【００３７】
に等しい電力でノードＣから送信要求応答信号を受信する。ここで、ｈＣＡはノードＣとノードＡとの間のパスロスである。ノードＡがノードＣに対して過度の干渉をもたらすだろう場合、ノードＡはＴｘ譲歩する。すなわち、ノードＡは  
【数９】
2013532917.tif 000011
【００３８】
でない限り、Ｔｘ譲歩する。ここで、  
【数１０】
2013532917.tif 000012
【００３９】
はしきい値（例えば、９ｄＢ）である。
【００４０】
接続スケジューリング・シグナリングスキームは、実例と併せて最良に説明される。ノードＣは送信するためのデータを有しておらず、媒体アクセス優先度１に対してＴｘｐブロックにおいて送信せず、ノードＡは送信するためのデータを有しており、媒体アクセス優先度２に対してＴｘｐブロックにおいて送信し、ノードＥは送信するためのデータを有しており、媒体アクセス優先度７に対してＴｘｐブロックにおいて送信する。ノードＤは送信するためのデータを有しており、媒体アクセス優先度１に対してＴｘブロックにおいて送信し、ノードＡは、媒体アクセス優先度２に対してＴｘブロックにおいて送信し、ノードＥは、媒体アクセス優先度７に対してＴｘブロックにおいて送信する。ノードＣが最も高い優先度を有していると、ノードＣは、Ｔｘブロックにおけるトーンを傾聴し、媒体アクセス優先度１に対してＲｘブロックにおいて送信することを決定する。ノードＢは、Ｔｘブロックにおけるトーンを傾聴し、そのリンクがより高い媒体アクセス優先度を有するリンク２に干渉しないと判定し、媒体アクセス優先度２に対してＲｘブロックにおいて送信する。ノードＦは、Ｔｘブロックにおけるトーンを傾聴し、そのリンクが、両方ともがより高い媒体アクセス優先度を有するリンク１および／またはリンク２に干渉すると判定し、媒体アクセス優先度７に対してＲｘブロックにおいて送信しないことによってＲｘ譲歩する。その後、ＤおよびＡの両方ともが、データを送信するかどうかを決定するために、Ｒｘブロックにおけるトーンを傾聴する。ＤがＡよりも高いリンク媒体アクセス優先度を有しているために、Ｄがそのデータを送信する。Ａが、その伝送がＤからの伝送に干渉するだろうと判定した場合、Ａはデータの伝送をＴｘ譲歩するだろう。
【００４１】
さらに図７では、ＦｌａｓｈＬｉｎＱにおいて、データセグメントを送信するための送信電力が、固定／最大電力と、一定のＳＮＲを達成するために必要とされる電力とに基づいてスケールされる。スケールされた電力は、距離が増大するに伴い、固定／最大電力まで増大する。長いリンク（しきい値に満たないＳＮＲを有するリンク）と、短いリンク（その他すべてのリンク）との両方ともが共存する異種ネットワークでは、送信電力をスケールすることは、長いリンクに対する不必要な干渉を発生することを回避するために、より小さい電力を使用するように短いリンクを促す。
【００４２】
送信機における有限電力範囲を仮定すると、高いＳＮＲをターゲットとすることは、条件を満たすことも実現することも可能ではない可能性があるが、全体ネットワークに対して均一にターゲットＳＮＲを低減することは、より短いリンクに対する最大レートを制限しうる。これは、より短いリンクに関しては、より高いＳＮＲを達成するのに十分な電力が存在しうるからである。現代の通信システムでは、通常、２５ｄＢを超えるＳＮＲをサポートすることができるように最高レートオプションが選択される。送信電力は、受信されるＳＮＲが３０ｄＢを超えるように選択されうる。しかしながら、長いリンクに関しては、送信電力は最大電力上限に制限される可能性が高く、実際の受信されるＳＮＲは、３０ｄＢから離れて境界されるだろう。言い換えると、特定のしきい値よりも長い（例えば、６０メートル以下の）リンクはすべてが最大電力で送信し、このシステムはこのしきい値よりも長いリンクを区別することができないだろう。
【００４３】
例えば、１マイルおよび６０メートルの長さをそれぞれ有する２つのリンクは両方とも、フル電力で送信しうる。これは、上述された送信電力スケーリング概念の明らかな侵害である。その他のリンクの存在下では、リンクによって達成可能な信号対干渉および雑音比（ＳＩＮＲ）はまた、接続スケジューリング・アルゴリズムに依存する。接続スケジューリング・アルゴリズムが特定のレベルの干渉保護のみを保証する場合、ネットワークにおける全干渉は最終的にレートを増大させることなく増大されうるので、この比率を超えてターゲットＳＮＲを増大させることは無意味である可能性がある。
【００４４】
図９Ａは図９００であり、図９Ｂは伝送電力を制御するための典型的な方法を例示するための図９５０である。図９Ａに示されるように、無線ノード９０２および無線ノード９０４は、ピアツーピア通信している。その他の無線ノード９０６、９０８、９１０、９１２は、ピアツーピア通信していないので、リンク９０２、９０４に対する干渉を引き起こすことがない。無線ノード９０２は、リソースに対する干渉レベルを判定する。このケースでは、干渉を引き起こす他のリンクは存在しないので、干渉レベルは低い。このような構成において、無線ノード９０２は、第１の電力Ｐ１を用いてリソースで信号９２０を送信する。第１の電力Ｐ１は、信号９２０が第１のＳＮＲで受信されるような電力（例えば、３０ｄｂまたは無線デバイスにおいて実現される最高レートコードブックによって必要とされるＳＮＲ）である。上記に説明されたように、信号９２０はデータセグメントでありうる。図９Ｂに示されるように、無線ノード９０６および無線ノード９０８がピアツーピア通信しており、無線ノード９１０および無線ノード９１２がピアツーピア通信している。このケースでは、リンク９０６、９０８および／またはリンク９１０、９１２が、リンク９０２、９０４に対する十分に高い干渉をもたらす場合、干渉レベルは高くなりうる。このような構成において、無線ノード９０２は、第２の電力Ｐ２を用いてリソースで信号９７０を送信する。第２の電力Ｐ２は、信号が第１のＳＮＲ（例えば、３０ｄｂ）よりも小さい第２のＳＮＲ（例えば、１０ｄｂ）を用いて受信されるような電力である。このように、無線ノード９０２が干渉に遭遇する場合、無線ノード９０２は、伝送電力を上げるのではなく、伝送電力を下げる。
【００４５】
ターゲットとするＳＮＲを３０ｄＢとすることは、システムにおけるピークレートを最大化するが、不適切な空間的再使用によって、混雑した配置における全システム効率を犠牲にする。ターゲットとするＳＮＲを１０ｄＢとすることは、優れた空間的再使用を可能にするが、短いリンクが単独で動作している場合、短いリンクのためのピークレートを犠牲にする。典型的な方法は、進行中の配置状況の観測に基づいて、少なくとも２つの異なる送信電力設定の間で適応的に切り換えることを提案する。特に、無線ノード９０２は、所与のリンクの周りにその他のリンクが検知されない場合は、より高い送信電力を使用し、干渉が検知される場合は、より小さい送信電力に切り換えうる。より小さい送信電力は、ターゲットＳＮＲに基づく値の範囲を有しうる。
【００４６】
特に、無線ノード９０２は最初、より高いターゲットＳＮＲの関数である送信電力を使用しうる。無線ノード９０２が、無線リソースを共有しなければならない可能性があるその他のリンクを検出すると、無線ノード９０２は、より小さいターゲットＳＮＲの関数である送信電力を使用しうる。無線ノード９０２は、近隣のリンクが消失した場合、より高いターゲットＳＮＲの関数である送信電力に再び切り換えうる。より小さいターゲットＳＮＲは、推定されたおよび／または検知された干渉に依存して変化しうる。
【００４７】
無線ノード９０２は、その他のリンクがリソースで通信しているかどうかを検知することによって、干渉レベルを判定しうる。例えば、無線ノード９０２は、その他のリンクが接続スケジューリングチャネルにおけるブロードキャストに基づいてリソースで通信していると判定しうる。無線ノード９０２は、図９Ａに示されるように、リンクが存在しない場合に第１の電力Ｐ１で信号９２０を送信し、図９Ｂに示されるように、リソースで通信しているリンクが検知された場合に第１の電力Ｐ１よりも小さい第２の電力Ｐ２で信号９７０を送信しうる。
【００４８】
１つの構成では、無線ノード９０２は、Ｐ１＝ｍｉｎ（Ｐａ、Ｐｍａｘ）およびＰ２＝ｍｉｎ（Ｐｂ、Ｐｍａｘ）という式によって、干渉が小さい場合は第１の電力Ｐ１を決定し、干渉が高い場合は第２の電力Ｐ２を決定しうる。ここで、Ｐａはより高いターゲットＳＮＲであり、Ｐｂはより小さいターゲットＳＮＲであり、かつＰａ＞Ｐｂである。
【００４９】
１つの実例では、Ｐａ＝ＰＳＮＲ３０である、すなわち、Ｐａは、信号９２０が、３０ｄＢのＳＮＲで無線ノード９０４によって受信されるような電力に等しい。別の実例では、Ｐａは、無線デバイスにおいて実現される最高レートコードブックによって必要とされるＳＮＲに等しい。１つの実例では、Ｐｂ＝ＰＳＮＲ１０である、すなわち、Ｐｂは、信号９７０が、１０ｄＢのＳＮＲで無線ノード９０４によって受信されるような電力に等しい。別の実例では、Ｐｂ＝ＰＥＳＴＩＭＡＴＥＤ＿ＳＩＮＲである、すなわち、Ｐｂは、信号９７０が、推定されたＳＩＮＲで無線ノード９０４によって受信されるような電力に等しい。１つの構成では、推定されたＳＩＮＲがしきい値（例えば、５ｄＢ）よりも大きい、またはしきい値に等しい場合にのみ、Ｐｂ＝ＰＥＳＴＩＭＡＴＥＤ＿ＳＩＮＲであり、そうでない場合は、しきい値に等しい。
【００５０】
図１０は、伝送電力を制御するための典型的な方法を例示するための図１０００である。上記に説明されたように、無線ノード９０２は、無線ノード９０４において受信された信号１０２０のＳＩＮＲを推定し、推定されたＳＩＮＲに基づいて信号１０２０の電力Ｐを設定しうる。１つの構成では、無線ノード９０２は信号１０１５を受信し、信号１０１５に基づいて信号１０２０のＳＩＮＲを推定し、推定されたＳＩＮＲに基づいて信号１０２０の電力Ｐを設定する。信号１０１５は、無線ノード９０４から受信され、ＳＩＮＲについての情報を含みうる。例えば、信号１０１５は、ＣＱＩを含み、レートスケジューリングチャネルのＣＱＩセグメントにおいて無線ノード９０４から受信されうる（図６参照）。代替的に、信号１０１５は、無線ノード９０４に対して無線ノード９０２によって送られた既知のデータブロックのエラーの数に基づくＳＩＮＲを含みうる。すなわち、無線ノード９０２は、既知のデータブロックを無線ノード９０４に送り返し、無線ノード９０４は、受信されたデータブロックにおけるエラーの数に基づくＳＩＮＲを信号１０１５によって無線ノード９０２に通信し返しうる。無線ノード９０２は、データブロックのＳＩＮＲから、データセグメントにおいて送られた信号１０２０のＳＩＮＲを推定しうる。別の構成では、信号１０１５がその他の無線ノードから受信される。例えば、信号１０１５は、その他のリンクにおけるその他の無線ノードから受信された１または複数のスケジューリング制御信号でありうる。無線ノード９０４は、譲歩するかどうかを決定するために、より高い優先度のリンクのエネルギーを合計することによって、受信されたスケジューリング制御信号からＳＩＮＲを推定しうる。ＳＩＮＲを推定するためのこの後者のオプションにおいて、実際のＳＩＮＲは、その他のリンクが譲歩することと、そのために、接続スケジューリングに少なくとも部分的に関与するが、データセグメントの送信には関与しないこととによって、推定されたＳＩＮＲよりも高くなりうる。後者のオプションでは、推定されたＳＩＮＲは、その他のリンクが譲歩することを考慮する（account for)ように調整されうる。
【００５１】
さらに図９Ｂでは、１つの構成において、推定されたＳＩＮＲが第２の値（例えば、１０ｄＢよりも大きい何らかの値）よりも小さいと判定された場合、第２のＳＮＲが第１の値（例えば、１０ｄＢ）に設定される。第１の値と第２の値との差は３ｄＢよりも小さい、またはそれに等しい可能性がある。例えば、第１の値は１０ｄＢであり、第２の値は１３ｄＢでありうる。このような構成では、推定されたＳＩＮＲが１３ｄＢよりも小さい、またはそれに等しい場合はいつでも、第２のＳＮＲは１０ｄＢである。別の構成では、推定されたＳＩＮＲが、無線デバイスにおいて実現される最高レートコードブックによって必要とされるＳＮＲを下回るしきい値（例えば、１ｄＢ）に満たないと判定された場合、第２のＳＮＲは第１の値（例えば、１０ｄＢ）に設定される。別の構成では、第２のＳＮＲは、近似的にＳＩＮＲに設定される。１つの実例では、ＳＩＮＲが５ｄＢよりも大きい場合はいつでも、第２のＳＮＲはＳＩＮＲに設定され、そうでない場合は、５ｄＢに設定される。
【００５２】
第２のＳＮＲを設定するための上記のスキームの任意の組み合わせが可能である。このように、第２の電力Ｐ２は、推定されたＳＩＮＲに依存して、複数の値と、恐らくは、その他の環境変数とを有しうる。
【００５３】
図１１は、典型的な方法のフローチャート１１００である。方法は、第２の無線デバイスとピアツーピア通信している無線デバイスによって実行される。図１１に示されるように、無線デバイスは、リソースに対する干渉レベルを判定する（１１０２）。無線デバイスは、リソースで送信された信号のＳＩＮＲを推定することによって干渉を判定しうる（１１０２）。さらに、無線デバイスは、干渉レベルが低い場合、第１の電力を用いてリソースで信号を送信する（１１０４）。第１の電力は、信号が第１のＳＮＲで受信されるような電力である（例えば、Ｐ１＝ｍｉｎ（Ｐａ、Ｐｍａｘ）、ここで、Ｐａは３０ｄｂまたは無線デバイスにおいて実現される最高レートコードブックによって必要とされるＳＮＲである）（１１０４）。さらに、無線デバイスは、推定されたＳＩＮＲに基づいて信号の第２の電力を設定する（１１０６）。無線デバイスは、干渉レベルが高い場合、第２の電力を用いてリソースで信号を送信する（１１０８）。第２の電力は、信号が第１のＳＮＲよりも小さい第２のＳＮＲで受信されるような電力である（例えば、Ｐ２＝ｍｉｎ（Ｐｂ、Ｐｍａｘ）、ここで、Ｐｂは推定されたＳＩＮＲの関数である）（１１０８）。
【００５４】
１つの構成では、無線デバイスは、その他のリンクがリソースで通信しているかどうかを検知することによって干渉レベルを判定し、リソースで通信しているリンクが検知されない場合、信号が第１の電力を用いてリソースで送信され、リソースで通信しているリンクが検知された場合、信号は第２の電力を用いてリソースで送信される。１つの構成では、無線デバイスは、リソースで第２の信号を受信し、第２の信号に基づいてＳＩＮＲを推定する。第２の信号は、第２の無線デバイスから受信され、ＳＩＮＲについての情報（例えば、受信されたデータブロックのＣＱＩまたはＳＩＮＲ）を含みうる。第２の信号は、その他のリンクにおいて（例えば、接続スケジューリングにおいて）その他の無線デバイスから受信され、このような構成において、無線デバイスは、第２の信号のエネルギーを推定し、推定されたエネルギーに基づいてＳＩＮＲを推定する。
【００５５】
図１２は、典型的な装置１００の機能を例示する概念ブロック図１２００である。装置１００は、リソースに対する干渉レベルを判定するモジュール１２０２を含む。さらに、装置１００は、干渉レベルが低い場合、第１の電力を用いてリソースで信号を送信するモジュール１２０４を含む。第１の電力は、信号が第１のＳＮＲで受信されるような電力である。さらに、装置１００は、干渉レベルが高い場合、第２の電力を用いてリソースで信号を送信するモジュール１２０６を含む。第２の電力は、信号が第１のＳＮＲよりも小さい第２のＳＮＲで受信されるような電力である。
【００５６】
図１では、１つの構成において、無線通信のための装置１００は、リソースに対する干渉レベルを判定する手段を含む。さらに、装置１００は、干渉レベルが低い場合、第１の電力を用いてリソースで信号を送信する手段を含む。第１の電力は、信号が第１のＳＮＲで受信されるような電力である。さらに、装置１００は、干渉レベルが高い場合、第２の電力を用いてリソースで信号を送信する手段を含む。第２の電力は、信号が第１のＳＮＲよりも小さい第２のＳＮＲで受信されるような電力である。１つの構成では、装置１００はさらに、リソースで第２の信号を受信する手段と、第２の信号に基づいて第２の無線デバイスに送信された信号のＳＩＮＲを推定する手段と、推定されたＳＩＮＲに基づいて信号の第２の電力を設定する手段とを含む。１つの構成では、装置１００はさらに、第２の信号のエネルギーを推定する手段を含む。前述の手段は、前述の手段に記載された機能を実行するように構成された処理システム１１４である。
【００５７】
開示された処理のステップの特定の順序または階層は、典型的なアプローチの例示であることが理解されるべきである。設計の選好に基づいて、処理におけるステップの特定の順序または階層は再配置されうるということが理解されるべきである。添付の方法請求項は、サンプルの順序で様々なステップの要素を示すものであり、示された特定の順序または階層に限定されることは意図されていない。
【００５８】
前述の説明は、本明細書に説明される様々な態様を実践することを当業者に対して可能にするように提供される。これらの態様に対する様々な変形例が当業者に対して容易に明らかになるだろう。また、本明細書で定義された一般的原理は、その他の態様に適用されうる。このように、特許請求の範囲は、本明細書において示された態様に限定されるように意図されたものではなく、特許請求の範囲と矛盾しない最大範囲であると認められるべきである。ここにおいて、単数における要素の言及は、そうと明確に述べられていない限りは「１つおよび１つだけ」を意味するのではなく、むしろ「１または複数」を意味することが意図されている。そうではないと明確に述べられていない限り、用語「いくつか（some）」は１または複数を指す。当業者に対して既知である、あるいは後に既知となる本開示において説明された多様な態様の要素に対する全ての構造的及び機能的な均等物は、参照によって本明細書に明確に組み込まれ、請求項によって包含されるよう意図される。更に、本明細書において開示されたものは何れも、このような開示が請求項において明確に述べられているかどうかに関わりなく、公衆に放棄されることは意図されていない。要素が、「する手段」というフレーズを使用して明確に記載されているか、または方法請求項である場合は、「するステップ」というフレーズを使用して明確に述べられていない限り、請求項における何れの要素も米国特許法第１１２条第６段落に基づくと解釈されるべきではない。
【図１】
2013532917.tif 000013
【図２】
2013532917.tif 000014
【図３】
2013532917.tif 000015
【図４】
2013532917.tif 000016
【図５】
2013532917.tif 000017
【図６】
2013532917.tif 000018
【図７】
2013532917.tif 000019
【図８Ａ】
2013532917.tif 000020
【図８Ｂ】
2013532917.tif 000021
【図９Ａ】
2013532917.tif 000022
【図９Ｂ】
2013532917.tif 000023
【図１０】
2013532917.tif 000024
【図１１】
2013532917.tif 000025
【図１２】
2013532917.tif 000026
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
無線デバイスを動作させる方法であって、
送信された信号の信号対干渉および雑音比（ＳＩＮＲ）を推定することによって、リソースに対する干渉レベルを判定することと、
前記干渉レベルが低く、前記ＳＩＮＲが高い場合、第１の電力を用いて前記リソースで前記信号を送信することであって、前記第１の電力は、前記信号が第１の信号対雑音比（ＳＮＲ）で受信されるような電力であることと、
前記干渉レベルが高く、前記ＳＩＮＲが低い場合、前記第１の電力よりも小さい第２の電力を用いて前記リソースで前記信号を送信することであって、前記第２の電力は、前記信号が前記第１のＳＮＲよりも小さい第２のＳＮＲで受信されるような電力であることと
を備える方法。
【請求項２】
前記干渉レベルを判定することはさらに、その他のリンクが前記リソースで通信しているかどうかを検知することを備え、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信される請求項１に記載の方法。
【請求項３】
請求項１に記載の方法であって、前記信号は、前記無線デバイスと通信している第２の無線デバイスに送信され、前記方法はさらに、
前記リソースで第２の信号を受信することと、
前記第２の信号に基づいて、前記第２の無線デバイスに送信された前記信号のＳＩＮＲを推定することと、
前記推定されたＳＩＮＲに基づいて前記信号の第２の電力を設定することと
を備える方法。
【請求項４】
前記第２の信号は、前記第２の無線デバイスから受信され、前記ＳＩＮＲについての情報を含む請求項３に記載の方法。
【請求項５】
前記第２の信号のエネルギーを推定することをさらに備え、前記ＳＩＮＲを推定することは、前記推定されたエネルギーに基づく請求項３に記載の方法。
【請求項６】
前記推定されたＳＩＮＲが第２の値よりも小さいと判定された場合、前記第２のＳＮＲは第１の値に設定される請求項１に記載の方法。
【請求項７】
前記第１の値と前記第２の値との差は３ｄＢよりも小さい、またはそれに等しい請求項６に記載の方法。
【請求項８】
前記推定されたＳＩＮＲが、前記無線デバイスにおいて実現される最高レートコードブックによって必要とされるＳＮＲを下回るしきい値に満たないと判定された場合、前記第２のＳＮＲは第１の値に設定される請求項１に記載の方法。
【請求項９】
前記しきい値は１ｄＢである請求項８に記載の方法。
【請求項１０】
前記第２のＳＮＲは、近似的に前記ＳＩＮＲに設定される請求項１に記載の方法。
【請求項１１】
無線通信のための装置であって、
送信された信号の信号対干渉および雑音比（ＳＩＮＲ）を推定することによって、リソースに対する干渉レベルを判定する手段と、
前記干渉レベルが低く、前記ＳＩＮＲが高い場合、第１の電力を用いて前記リソースで前記信号を送信する手段であって、前記第１の電力は、前記信号が第１の信号対雑音比（ＳＮＲ）で受信されるような電力である手段と、
前記干渉レベルが高く、前記ＳＩＮＲが低い場合、前記第１の電力よりも小さい第２の電力を用いて前記リソースで前記信号を送信する手段であって、前記第２の電力は、前記信号が前記第１のＳＮＲよりも小さい第２のＳＮＲで受信されるような電力である手段と
を備える装置。
【請求項１２】
前記干渉レベルを判定する手段はさらに、その他のリンクが前記リソースで通信しているかどうかを検知する手段であって、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信される手段である請求項１１に記載の装置。
【請求項１３】
請求項１１に記載の装置であって、前記信号は、前記装置と通信している第２の装置に送信され、前記装置はさらに、
前記リソースで第２の信号を受信する手段と、
前記第２の信号に基づいて、前記第２の装置に送信された前記信号のＳＩＮＲを推定する手段と、
前記推定されたＳＩＮＲに基づいて前記信号の第２の電力を設定する手段と
を備える装置。
【請求項１４】
前記第２の信号は、前記第２の装置から受信され、前記ＳＩＮＲについての情報を含む請求項１３に記載の装置。
【請求項１５】
前記第２の信号のエネルギーを推定する手段をさらに備え、前記推定する手段は、前記推定されたエネルギーに基づいて前記ＳＩＮＲを推定する請求項１３に記載の装置。
【請求項１６】
前記推定されたＳＩＮＲが第２の値よりも小さいと判定された場合、前記第２のＳＮＲは第１の値に設定される請求項１１に記載の装置。
【請求項１７】
前記第１の値と前記第２の値との差は３ｄＢよりも小さい、またはそれに等しい請求項１６に記載の装置。
【請求項１８】
前記推定されたＳＩＮＲが、前記装置において実現される最高レートコードブックによって必要とされるＳＮＲを下回るしきい値に満たないと判定された場合、前記第２のＳＮＲは第１の値に設定される請求項１１に記載の装置。
【請求項１９】
前記しきい値は１ｄＢである請求項１８に記載の装置。
【請求項２０】
前記第２のＳＮＲは、近似的に前記ＳＩＮＲに設定される請求項１１に記載の装置。
【請求項２１】
コンピュータ読取可能な媒体を備える無線デバイスにおけるコンピュータプログラム製品であって、
前記コンピュータ読取可能な媒体は、
送信された信号の信号対干渉および雑音比（ＳＩＮＲ）を推定することによって、リソースに対する干渉レベルを判定するためのコードと、
前記干渉レベルが低く、前記ＳＩＮＲが高い場合、第１の電力を用いて前記リソースで前記信号を送信するためのコードであって、前記第１の電力は、前記信号が第１の信号対雑音比（ＳＮＲ）で受信されるような電力であるコードと、
前記干渉レベルが高く、前記ＳＩＮＲが低い場合、前記第１の電力よりも小さい第２の電力を用いて前記リソースで前記信号を送信するためのコードであって、前記第２の電力は、前記信号が前記第１のＳＮＲよりも小さい第２のＳＮＲで受信されるような電力であるコードと
を備える、コンピュータプログラム製品。
【請求項２２】
前記干渉レベルを判定するためのコードはさらに、その他のリンクが前記リソースで通信しているかどうかを検知するコードであって、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信されるコードである請求項２１に記載のコンピュータプログラム製品。
【請求項２３】
請求項２１に記載のコンピュータプログラム製品であって、前記信号は、前記無線デバイスと通信している第２の無線デバイスに送信され、前記コンピュータ読取可能な媒体はさらに、
前記リソースで第２の信号を受信するためのコードと、
前記第２の信号に基づいて、前記第２の無線デバイスに送信された前記信号のＳＩＮＲを推定するためのコードと、
前記推定されたＳＩＮＲに基づいて前記信号の第２の電力を設定するためのコードと
を備えるコンピュータプログラム製品。
【請求項２４】
前記第２の信号は、前記第２の無線デバイスから受信され、前記ＳＩＮＲについての情報を含む請求項２３に記載のコンピュータプログラム製品。
【請求項２５】
前記コンピュータ読取可能な媒体はさらに、前記第２の信号のエネルギーを推定するためのコードを備え、前記推定するためのコードは、前記推定されたエネルギーに基づいて前記ＳＩＮＲを推定する請求項２３に記載のコンピュータプログラム製品。
【請求項２６】
前記推定されたＳＩＮＲが第２の値よりも小さいと判定された場合、前記第２のＳＮＲは第１の値に設定される請求項２１に記載のコンピュータプログラム製品。
【請求項２７】
前記第１の値と前記第２の値との差は３ｄＢよりも小さい、またはそれに等しい請求項２６に記載のコンピュータプログラム製品。
【請求項２８】
前記推定されたＳＩＮＲが、前記無線デバイスにおいて実現される最高レートコードブックによって必要とされるＳＮＲを下回るしきい値に満たないと判定された場合、前記第２のＳＮＲは第１の値に設定される請求項２１に記載のコンピュータプログラム製品。
【請求項２９】
前記しきい値は１ｄＢである請求項２８に記載のコンピュータプログラム製品。
【請求項３０】
前記第２のＳＮＲは、近似的に前記ＳＩＮＲに設定される請求項２１に記載のコンピュータプログラム製品。
【請求項３１】
処理システムを備える無線通信のための装置であって、
前記処理システムは、
送信された信号の信号対干渉および雑音比（ＳＩＮＲ）を推定することによって、リソースに対する干渉レベルを判定することと、
前記干渉レベルが低く、前記ＳＩＮＲが高い場合、第１の電力を用いて前記リソースで前記信号を送信することであって、前記第１の電力は、前記信号が第１の信号対雑音比（ＳＮＲ）で受信されるような電力であることと、
前記干渉レベルが高く、前記ＳＩＮＲが低い場合、前記第１の電力よりも小さい第２の電力を用いて前記リソースで前記信号を送信することであって、前記第２の電力は、前記信号が前記第１のＳＮＲよりも小さい第２のＳＮＲで受信されるような電力であることと
を実行するように構成された装置。
【請求項３２】
前記干渉レベルを判定するために、前記処理システムはさらに、その他のリンクが前記リソースで通信しているかどうかを検知するように構成され、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信される請求項３１に記載の装置。
【請求項３３】
請求項３１に記載の装置であって、前記信号は、前記装置と通信している第２の装置に送信され、前記処理システムはさらに、
前記リソースで第２の信号を受信することと、
前記第２の信号に基づいて、前記第２の装置に送信された前記信号のＳＩＮＲを推定することと、
前記推定されたＳＩＮＲに基づいて前記信号の第２の電力を設定することと
を実行するように構成された装置。
【請求項３４】
前記第２の信号は、前記第２の装置から受信され、前記ＳＩＮＲについての情報を含む請求項３３に記載の装置。
【請求項３５】
前記処理システムはさらに、前記第２の信号のエネルギーを推定するように構成され、前記処理システムは、前記推定されたエネルギーに基づいて前記ＳＩＮＲを推定するように構成される請求項３３に記載の装置。
【請求項３６】
前記推定されたＳＩＮＲが第２の値よりも小さいと判定された場合、前記第２のＳＮＲは第１の値に設定される請求項３１に記載の装置。
【請求項３７】
前記第１の値と前記第２の値との差は３ｄＢよりも小さい、またはそれに等しい請求項３６に記載の装置。
【請求項３８】
前記推定されたＳＩＮＲが、前記装置において実現される最高レートコードブックによって必要とされるＳＮＲを下回るしきい値に満たないと判定された場合、前記第２のＳＮＲは第１の値に設定される請求項３１に記載の装置。
【請求項３９】
前記しきい値は１ｄＢである請求項３８に記載の装置。
【請求項４０】
前記第２のＳＮＲは、近似的に前記ＳＩＮＲに設定される請求項３１に記載の装置。
【手続補正２】
【補正対象書類名】明細書
【補正対象項目名】００５８
【補正方法】変更
【補正の内容】
【００５８】
前述の説明は、本明細書に説明される様々な態様を実践することを当業者に対して可能にするように提供される。これらの態様に対する様々な変形例が当業者に対して容易に明らかになるだろう。また、本明細書で定義された一般的原理は、その他の態様に適用されうる。このように、特許請求の範囲は、本明細書において示された態様に限定されるように意図されたものではなく、特許請求の範囲と矛盾しない最大範囲であると認められるべきである。ここにおいて、単数における要素の言及は、そうと明確に述べられていない限りは「１つおよび１つだけ」を意味するのではなく、むしろ「１または複数」を意味することが意図されている。そうではないと明確に述べられていない限り、用語「いくつか（some）」は１または複数を指す。当業者に対して既知である、あるいは後に既知となる本開示において説明された多様な態様の要素に対する全ての構造的及び機能的な均等物は、参照によって本明細書に明確に組み込まれ、請求項によって包含されるよう意図される。更に、本明細書において開示されたものは何れも、このような開示が請求項において明確に述べられているかどうかに関わりなく、公衆に放棄されることは意図されていない。要素が、「する手段」というフレーズを使用して明確に記載されているか、または方法請求項である場合は、「するステップ」というフレーズを使用して明確に述べられていない限り、請求項における何れの要素も米国特許法第１１２条第６段落に基づくと解釈されるべきではない。
以下に、本願出願の当初の特許請求の範囲に記載された発明を付記する。
［Ｃ１］
無線デバイスを動作させる方法であって、
リソースに対する干渉レベルを判定することと、
前記干渉レベルが低い場合、第１の電力を用いて前記リソースで信号を送信することであって、前記第１の電力は、前記信号が第１の信号対雑音比（ＳＮＲ）で受信されるような電力であることと、
前記干渉レベルが高い場合、第２の電力を用いて前記リソースで前記信号を送信することであって、前記第２の電力は、前記信号が前記第１のＳＮＲよりも小さい第２のＳＮＲで受信されるような電力であることと
を備える方法。
［Ｃ２］
前記干渉レベルを判定することは、その他のリンクが前記リソースで通信しているかどうかを検知することを備え、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信されるＣ１に記載の方法。
［Ｃ３］
Ｃ１に記載の方法であって、前記信号は、前記無線デバイスと通信している第２の無線デバイスに送信され、前記方法はさらに、
前記リソースで第２の信号を受信することと、
前記第２の信号に基づいて、前記第２の無線デバイスに送信された前記信号の信号対干渉および雑音比（ＳＩＮＲ）を推定することと、
前記推定されたＳＩＮＲに基づいて前記信号の第２の電力を設定することと
を備える方法。
［Ｃ４］
前記第２の信号は、前記第２の無線デバイスから受信され、前記ＳＩＮＲについての情報を含むＣ３に記載の方法。
［Ｃ５］
前記第２の信号のエネルギーを推定することをさらに備え、前記ＳＩＮＲを推定することは、前記推定されたエネルギーに基づくＣ３に記載の方法。
［Ｃ６］
前記干渉レベルを判定することは、前記送信された信号の信号対干渉および雑音比（ＳＩＮＲ）を推定することを備えるＣ１に記載の方法。
［Ｃ７］
前記推定されたＳＩＮＲが第２の値よりも小さいと判定された場合、前記第２のＳＮＲは第１の値に設定されるＣ６に記載の方法。
［Ｃ８］
前記第１の値と前記第２の値との差は３ｄＢよりも小さい、またはそれに等しいＣ７に記載の方法。
［Ｃ９］
前記推定されたＳＩＮＲが、前記無線デバイスにおいて実現される最高レートコードブックによって必要とされるＳＮＲを下回るしきい値に満たないと判定された場合、前記第２のＳＮＲは第１の値に設定されるＣ６に記載の方法。
［Ｃ１０］
前記しきい値は１ｄＢであるＣ９に記載の方法。
［Ｃ１１］
前記第２のＳＮＲは、近似的に前記ＳＩＮＲに設定されるＣ１に記載の方法。
［Ｃ１２］
無線通信のための装置であって、
リソースに対する干渉レベルを判定する手段と、
前記干渉レベルが低い場合、第１の電力を用いて前記リソースで信号を送信する手段であって、前記第１の電力は、前記信号が第１の信号対雑音比（ＳＮＲ）で受信されるような電力である手段と、
前記干渉レベルが高い場合、第２の電力を用いて前記リソースで前記信号を送信する手段であって、前記第２の電力は、前記信号が前記第１のＳＮＲよりも小さい第２のＳＮＲで受信されるような電力である手段と
を備える装置。
［Ｃ１３］
前記干渉レベルを判定する手段は、その他のリンクが前記リソースで通信しているかどうかを検知する手段であって、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信される手段であるＣ１２に記載の装置。
［Ｃ１４］
Ｃ１２に記載の装置であって、前記信号は、前記装置と通信している第２の装置に送信され、前記装置はさらに、
前記リソースで第２の信号を受信する手段と、
前記第２の信号に基づいて、前記第２の装置に送信された前記信号の信号対干渉および雑音比（ＳＩＮＲ）を推定する手段と、
前記推定されたＳＩＮＲに基づいて前記信号の第２の電力を設定する手段と
を備える装置。
［Ｃ１５］
前記第２の信号は、前記第２の装置から受信され、前記ＳＩＮＲについての情報を含むＣ１４に記載の装置。
［Ｃ１６］
前記第２の信号のエネルギーを推定する手段をさらに備え、前記推定する手段は、前記推定されたエネルギーに基づいて前記ＳＩＮＲを推定するＣ１４に記載の装置。
［Ｃ１７］
前記干渉レベルを判定する手段は、前記送信された信号の信号対干渉および雑音比（ＳＩＮＲ）を推定するＣ１２に記載の装置。
［Ｃ１８］
前記推定されたＳＩＮＲが第２の値よりも小さいと判定された場合、前記第２のＳＮＲは第１の値に設定されるＣ１７に記載の装置。
［Ｃ１９］
前記第１の値と前記第２の値との差は３ｄＢよりも小さい、またはそれに等しいＣ１８に記載の装置。
［Ｃ２０］
前記推定されたＳＩＮＲが、前記装置において実現される最高レートコードブックによって必要とされるＳＮＲを下回るしきい値に満たないと判定された場合、前記第２のＳＮＲは第１の値に設定されるＣ１７に記載の装置。
［Ｃ２１］
前記しきい値は１ｄＢであるＣ２０に記載の装置。
［Ｃ２２］
前記第２のＳＮＲは、近似的に前記ＳＩＮＲに設定されるＣ１２に記載の装置。
［Ｃ２３］
コンピュータ読取可能な媒体を備える無線デバイスにおけるコンピュータプログラム製品であって、
前記コンピュータ読取可能な媒体は、
リソースに対する干渉レベルを判定するためのコードと、
前記干渉レベルが低い場合、第１の電力を用いて前記リソースで信号を送信するためのコードであって、前記第１の電力は、前記信号が第１の信号対雑音比（ＳＮＲ）で受信されるような電力であるコードと、
前記干渉レベルが高い場合、第２の電力を用いて前記リソースで前記信号を送信するためのコードであって、前記第２の電力は、前記信号が前記第１のＳＮＲよりも小さい第２のＳＮＲで受信されるような電力であるコードと
を備える、コンピュータプログラム製品。
［Ｃ２４］
前記干渉レベルを判定するためのコードは、その他のリンクが前記リソースで通信しているかどうかを検知するコードであって、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信されるコードであるＣ２３に記載のコンピュータプログラム製品。
［Ｃ２５］
Ｃ２３に記載のコンピュータプログラム製品であって、前記信号は、前記無線デバイスと通信している第２の無線デバイスに送信され、前記コンピュータ読取可能な媒体はさらに、
前記リソースで第２の信号を受信するためのコードと、
前記第２の信号に基づいて、前記第２の無線デバイスに送信された前記信号の信号対干渉および雑音比（ＳＩＮＲ）を推定するためのコードと、
前記推定されたＳＩＮＲに基づいて前記信号の第２の電力を設定するためのコードと
を備えるコンピュータプログラム製品。
［Ｃ２６］
前記第２の信号は、前記第２の無線デバイスから受信され、前記ＳＩＮＲについての情報を含むＣ２５に記載のコンピュータプログラム製品。
［Ｃ２７］
前記コンピュータ読取可能な媒体はさらに、前記第２の信号のエネルギーを推定するためのコードを備え、前記推定するためのコードは、前記推定されたエネルギーに基づいて前記ＳＩＮＲを推定するＣ２５に記載のコンピュータプログラム製品。
［Ｃ２８］
前記干渉レベルを判定するためのコードは、前記送信された信号の信号対干渉および雑音比（ＳＩＮＲ）を推定するＣ２３に記載のコンピュータプログラム製品。
［Ｃ２９］
前記推定されたＳＩＮＲが第２の値よりも小さいと判定された場合、前記第２のＳＮＲは第１の値に設定されるＣ２８に記載のコンピュータプログラム製品。
［Ｃ３０］
前記第１の値と前記第２の値との差は３ｄＢよりも小さい、またはそれに等しいＣ２９に記載のコンピュータプログラム製品。
［Ｃ３１］
前記推定されたＳＩＮＲが、前記無線デバイスにおいて実現される最高レートコードブックによって必要とされるＳＮＲを下回るしきい値に満たないと判定された場合、前記第２のＳＮＲは第１の値に設定されるＣ２８に記載のコンピュータプログラム製品。
［Ｃ３２］
前記しきい値は１ｄＢであるＣ３１に記載のコンピュータプログラム製品。
［Ｃ３３］
前記第２のＳＮＲは、近似的に前記ＳＩＮＲに設定されるＣ２３に記載のコンピュータプログラム製品。
［Ｃ３４］
処理システムを備える無線通信のための装置であって、
前記処理システムは、
リソースに対する干渉レベルを判定することと、
前記干渉レベルが低い場合、第１の電力を用いて前記リソースで信号を送信することであって、前記第１の電力は、前記信号が第１の信号対雑音比（ＳＮＲ）で受信されるような電力であることと、
前記干渉レベルが高い場合、第２の電力を用いて前記リソースで前記信号を送信することであって、前記第２の電力は、前記信号が前記第１のＳＮＲよりも小さい第２のＳＮＲで受信されるような電力であることと
を実行するように構成された装置。
［Ｃ３５］
前記干渉レベルを判定するために、前記処理システムは、その他のリンクが前記リソースで通信しているかどうかを検知するように構成され、前記リソースで通信しているリンクが検知されない場合、前記信号は前記第１の電力を用いて前記リソースで送信され、前記リソースで通信しているリンクが検知された場合、前記信号は前記第２の電力を用いて前記リソースで送信されるＣ３４に記載の装置。
［Ｃ３６］
Ｃ３４に記載の装置であって、前記信号は、前記装置と通信している第２の装置に送信され、前記処理システムはさらに、
前記リソースで第２の信号を受信することと、
前記第２の信号に基づいて、前記第２の装置に送信された前記信号の信号対干渉および雑音比（ＳＩＮＲ）を推定することと、
前記推定されたＳＩＮＲに基づいて前記信号の第２の電力を設定することと
を実行するように構成された装置。
［Ｃ３７］
前記第２の信号は、前記第２の装置から受信され、前記ＳＩＮＲについての情報を含むＣ３６に記載の装置。
［Ｃ３８］
前記処理システムはさらに、前記第２の信号のエネルギーを推定するように構成され、前記処理システムは、前記推定されたエネルギーに基づいて前記ＳＩＮＲを推定するように構成されるＣ３６に記載の装置。
［Ｃ３９］
前記干渉レベルを判定するために、前記処理システムは、前記送信された信号の信号対干渉および雑音比（ＳＩＮＲ）を推定するように構成されるＣ３４に記載の装置。
［Ｃ４０］
前記推定されたＳＩＮＲが第２の値よりも小さいと判定された場合、前記第２のＳＮＲは第１の値に設定されるＣ３９に記載の装置。
［Ｃ４１］
前記第１の値と前記第２の値との差は３ｄＢよりも小さい、またはそれに等しいＣ４０に記載の装置。
［Ｃ４２］
前記推定されたＳＩＮＲが、前記装置において実現される最高レートコードブックによって必要とされるＳＮＲを下回るしきい値に満たないと判定された場合、前記第２のＳＮＲは第１の値に設定されるＣ３９に記載の装置。
［Ｃ４３］
前記しきい値は１ｄＢであるＣ４２に記載の装置。
［Ｃ４４］
前記第２のＳＮＲは、近似的に前記ＳＩＮＲに設定されるＣ３４に記載の装置。
【国際調査報告】
2013532917.tif 000027
2013532917.tif 000028
2013532917.tif 000029
2013532917.tif 000030
2013532917.tif 000031